(57)【要約】【課題】  屋根などの雪下ろしにおいて、足場の悪い高所での不安定な作業のため効率が悪いことや転落する危険があるという不具合を解決すること。【解決手段】  輪を取り付けた竿と、該輪にくぐらせた紐と、該紐を結びつけた板から成る除雪用具により、人が屋根に登ることなく、簡単な操作で効率よくかつ安全に雪下ろしすることにより、この課題を解決する。【選択図】図１
2007211574.tif 000002
【特許請求の範囲】
【請求項１】
輪１を取り付けた竿２と、該輪１にくぐらせた紐３と、該紐３を結びつけた板４から成る除雪用具
【発明の詳細な説明】
【技術分野】
【０００１】  本発明は、除雪用具に関するものであり、輪を取り付けた竿と、該輪にくぐらせた紐と、該紐を結びつけた板により、屋根などに降り積もった雪を下ろすようにしたものである。
【背景技術】
【０００２】  従来から、屋根などに降り積もった雪の雪下ろしは、人が屋根などに登って、いわゆるスコップなどを使って雪を掻きとり下ろしていた。
【発明の開示】
【発明が解決しようとする課題】
【０００３】  しかし、従来のように人が屋根などに登って、いわゆるスコップなどを使って雪を下ろす場合は、足場の悪い高所での不安定な作業となるため慎重にならざるを得ず効率が悪い。また、雪下ろしをする人が足を滑らし転落する危険も生じる。本発明は、このような従来の雪下ろしの不具合を解決することを課題とする。
【課題を解決するための手段】
【０００４】  この課題を解決するための請求項１の発明は、輪１を取り付けた竿２と、該輪１にくぐらせた紐３と、該紐３を結びつけた板４から成る除雪用具である。輪１は竿２の先端付近に取り付けられている。紐３は輪１をくぐって自在に往来することができる。板４の両端のそれぞれに、紐３が途中で２本に分枝したそれぞれを結びつけてある。本発明を使用するときは、本発明の竿２を手でつかみ、板４がずり落ちないように紐３を手で抑えながら、輪１が先端方向になるように該竿２を持ち上げて該竿２の先端を屋根などに降り積もった雪の上にかざし、該輪１にくぐらせた該紐３を緩めて該板４を屋根などに降り積もった雪の上に降ろし、該紐３が２本に分枝した方を引いて該板４を屋根の下方に移動させその箇所の雪を押し下げて屋根から雪下ろしするようにする。その後に、紐３のもう一方を引いて板４を屋根の上方に移動させ、上記と同じ作業を繰り返し行うようにする。人が屋根などに登ることなく、軒下から本発明の除雪用具を操作することにより、屋根などに降り積もった雪を簡単な操作で効率よくかつ安全に雪下ろしすることができる。【０００５】  本発明の除雪用具の板４を屋根などに降り積もった雪の上に降ろすために、輪１をくぐって該板４に結んだ紐３を長くのばし、該板４を手に持ち、振って反動をつけながら屋根などの上に投げ上げるようにしてもかまわない。【０００６】  本発明の除雪用具を、軒下から屋根などに立てかけた梯子の上に人が登って操作する場合、屋根などに降り積もった雪が自然落下しない安全な箇所に板４を降ろして行うことにより、安全性が確保できる。【０００７】  本発明の除雪用具の竿２は、木の棒などでもかまわない。【０００８】  本発明の除雪用具の紐３は、鎖やチェーンでもかまわない。【０００９】  本発明の除雪用具の板４は、湾曲した形状のほか、平板状のものでもかまわない。【００１０】  本発明の除雪用具の板４は、いわゆるプラスチック板や木板、金属板のほか、厚い布やムシロなど、押す雪の圧力に応じてしなやかに歪むものでもかまわない。【００１１】  本発明の除雪用具の使用時に、紐３にかかる圧力を緩和し該紐３の損耗や切れを防ぐために、該紐３を別に用意する弓状の棒５の中間部に結びつけ、該弓状の棒５の両端のそれぞれと板４の両端のそれぞれを、該紐３が途中で２本に分枝したそれぞれで結ぶことにより、該紐３を引く力や該板４が雪を押す力に応じて該弓状の棒５が曲るようにしてもかまわない。【００１２】  本発明の除雪用具の使用時に、板４の上部からこぼれる雪の量を減じるために、紐３を別に用意する三角形状の布６の一辺に結びつけ、該三角形状の布６の他の二辺のそれぞれと該板４の両端のそれぞれを、該紐３が途中で２本に分枝したそれぞれで結ぶようにしてもかまわない。【００１３】  本発明の除雪用具の紐３が輪１をくぐり往来する過程を省くことにより該除雪用具の操作を簡単にするため、該輪１を除いて竿２の先端付近に該紐３を結びつけて、該紐３と該竿２が一体的に移動するようにしてもかまわない。
【発明の効果】
【００１４】  本発明により、屋根などに降り積もった雪を下ろす際に人が屋根などに登る必要がないので、高所における不安定で低効率な作業がなくなり、また、雪下ろしをする人が足を滑らし転落する危険もなくなるので、簡単な操作で効率よくかつ安全に雪下ろしすることができる。【００１５】  本発明を軽量化することは可能であり、そうなった場合は、本発明の持ち運びが楽になり本発明を操作する方法は基本的に竿をかざしてヒモを引くだけであることから、本発明の使用により各人の筋力の強弱を問わず楽に雪下ろしすることが可能になるものと思慮される。【００１６】  本発明により、例えば温室の屋根などで、荷重に弱く登る人の重量に耐えられない屋根の雪下ろしが可能になるものと思慮される。
【発明を実施するための最良の形態】
【００１７】  図１は、本発明の除雪用具の、輪１を取り付けた竿２と、該輪１にくぐらせた紐３と、該紐３を結びつけた板４から成る除雪用具の原理を示す斜視図である。同図に示すように、輪１は竿２の先端付近に取り付けられている。紐３は輪１をくぐって自在に往来することができる。板４の両端のそれぞれに、紐３が途中で２本に分枝したそれぞれを結びつけてある。本発明を使用するときは、本発明の竿２を手でつかみ、板４がずり落ちないように紐３を手で抑えながら、輪１が先端方向になるように該竿２を持ち上げて該竿２の先端を屋根などに降り積もった雪の上にかざし、該輪１にくぐらせた該紐３を緩めて該板４を屋根などに降り積もった雪の上に降ろし、該紐３が２本に分枝した方を引いて該板４を屋根の下方に移動させその箇所の雪を押し下げて屋根から雪下ろしするようにする。その後に、紐３のもう一方を引いて板４を屋根の上方に移動させ、上記と同じ作業を繰り返し行うようにする。人が屋根などに登ることなく、軒下から本発明の除雪用具を操作することにより、屋根などに降り積もった雪を簡単な操作で効率よくかつ安全に雪下ろしすることができる。【００１８】  図２は、本発明の除雪用具の紐３を、別に用意する弓状の棒５の中間部に結びつけ、該弓状の棒５の両端のそれぞれと板４の両端のそれぞれを、該紐３が途中で２本に分枝したそれぞれで結ぶようにした除雪用具の原理を示す斜視図である。同図に示すように、紐３を引く力や、板４が雪を押す力に応じて弓状の棒５が曲ることにより、該紐３にかかる圧力を緩和し該紐３の損耗や切れを防ぐようにするためのものである。【００１９】  図３は、本発明の除雪用具の紐３を、別に用意する三角形状の布６の一辺に結びつけ、該三角形状の布６の他の二辺のそれぞれと板４の両端のそれぞれを、該紐３が途中で２本に分枝したそれぞれで結ぶようにした除雪用具の原理を示す斜視図である。同図に示すように、三角形状の布６も雪を受けることにより、板４の上部からこぼれる雪の量を減じるようにするためのものである。【００２０】  図４は、本発明の除雪用具の輪１を除いて、竿２の先端付近に紐３を結びつけるようにした除雪用具の原理を示す斜視図である。同図に示すように、紐３と竿２が一体的に移動することにより、該紐３が輪１をくぐり往来する過程を省き除雪用具の操作を簡単にするためのものである。
【産業上の利用可能性】
【００２１】  本発明に係る除雪用具は、工業的に量産することが可能であるため、産業上の利用可能性を有する。
【図面の簡単な説明】
【００２２】
【図１】  本発明の除雪用具の原理を示す斜視図である。
【図２】  本発明の除雪用具の紐３を、別に用意する弓状の棒５の中間部に結びつけ、該弓状の棒５の両端のそれぞれと板４の両端のそれぞれを、該紐３が途中で２本に分枝したそれぞれで結ぶようにした除雪用具の原理を示す斜視図である。
【図３】  本発明の除雪用具の紐３を、別に用意する三角形状の布６の一辺に結びつけ、該三角形状の布６の他の二辺のそれぞれと板４の両端のそれぞれを、該紐３の途中が２本に分枝したそれぞれで結ぶようにした除雪用具の原理を示す斜視図である。
【図４】  本発明の除雪用具の輪１を除いて、竿２の先端付近に紐３を結びつけるようにした除雪用具の原理を示す斜視図である。
【符号の説明】
【００２３】  １    輪
２    竿
３    紐
４    板
５    弓状の棒
６    三角形状の布
【図１】
2007211574.tif 000003
【図２】
2007211574.tif 000004
【図３】
2007211574.tif 000005
【図４】
2007211574.tif 000006